(57)【要約】【課題】アクチュエータを介して複数のクラッチを操作するクラッチ操作装置において、このクラッチ操作装置を簡潔に構成すると共に耐久性の向上を図る。【解決手段】クラッチ１９，４２を操作するクラッチ操作部材７３，６８と、該クラッチ操作部材７３，６８に対応して設けたクラッチ操作体７２，６７と、該クラッチ操作体７２，６７をアクチュエータ６３を介して回動させる作動部材６５とを備え、この作動部材６５の回動によりクラッチ操作体７２，６７に対応するクラッチ操作部材７３，６８を操作して、クラッチ１９，４２を入り切りするクラッチ操作装置６１において、前記作動部材６５の支軸６６の基部をクラッチ操作装置６１の取り付けベース６２に固設する一方、前記支軸６６の先端部と取り付けベース６２とを、当該支軸６６の先端部からクラッチ操作部材７３，６８の作動方向に延出せしめた補強部材９６を用いて連結した。【選択図】図５
2008301763.tif 000002
【特許請求の範囲】
【請求項１】
クラッチ（１９，４２）を操作するクラッチ操作部材（７３，６８）と、該クラッチ操作部材（７３，６８）に対応して設けたクラッチ操作体（７２，６７）と、該クラッチ操作体（７２，６７）をアクチュエータ（６３）を介して回動させる作動部材（６５）とを備え、この作動部材（６５）の回動によりクラッチ操作体（７２，６７）に対応するクラッチ操作部材（７３，６８）を操作して、クラッチ（１９，４２）を入り切りするクラッチ操作装置（６１）において、前記作動部材（６５）の支軸（６６）の基部をクラッチ操作装置（６１）の取り付けベース（６２）に固設する一方、前記支軸（６６）の先端部と取り付けベース（６２）とを、当該支軸（６６）の先端部からクラッチ操作部材（７３，６８）の作動方向に延出せしめた補強部材（９６）を用いて連結したことを特徴とするクラッチ操作装置。
【請求項２】
前記補強部材（９６）を取り付けベース（６２）と平行に少なくとも三点支持状態で連結した請求項１に記載のクラッチ操作装置。
【発明の詳細な説明】
【技術分野】
【０００１】
本発明は、アクチュエータを介して複数のクラッチを操作するクラッチ操作装置に関する。
【背景技術】
【０００２】
従来のコンバインにおいては、脱穀装置と前処理装置への動力を断続する脱穀クラッチと刈取クラッチに加えて脱穀フィードチェンクラッチを設け、これらクラッチの断続を同一のクラッチモータの駆動力によって切り換え操作できるように各クラッチカムを構成すると共に、切換え操作により作業指令、非作業指令、及び枕扱き指令とを切り換えて出力する一つの指令手段と、刈取り部の高さを検出する検出手段からの情報に基づいて、当該クラッチモータを操作するクラッチ制御手段を設けたものが知られている（例えば、特許文献１参照）。
【特許文献１】特許３６３９４８８号公報（第４−７頁、図３−図５）
【発明の開示】
【発明が解決しようとする課題】
【０００３】
ところが、上述した特許文献１のものでは、脱穀クラッチと刈取クラッチ、及び脱穀フィードチェンクラッチの各クラッチカムを取り纏めて構成するにあたり、各クラッチカムの回動支軸の基部及び先端部を強固な枠体で覆った状態で固設または支持しており、各クラッチカムに連結するワイヤ等の調整を行う際は、一々前記枠体を取り外さなければならずメンテナンス性が悪いといった欠点を有していた。
【課題を解決するための手段】
【０００４】
本発明は、上記課題を解決することを目的としたものであって、クラッチを操作するクラッチ操作部材と、該クラッチ操作部材に対応して設けたクラッチ操作体と、該クラッチ操作体をアクチュエータを介して回動させる作動部材とを備え、この作動部材の回動によりクラッチ操作体に対応するクラッチ操作部材を操作して、クラッチを入り切りするクラッチ操作装置において、前記作動部材の支軸の基部をクラッチ操作装置の取り付けベースに固設する一方、前記支軸の先端部と取り付けベースとを、当該支軸の先端部からクラッチ操作部材の作動方向に延出せしめた補強部材を用いて連結したことを第１の特徴としている。
そして、前記補強部材を取り付けベースと平行に少なくとも三点支持状態で連結したことを第２の特徴としている。
【発明の効果】
【０００５】
請求項１の発明によれば、クラッチ操作装置の取り付けベースに作動部材の支軸の基部を固設する一方、前記支軸の先端部と取り付けベースとを、当該支軸の先端部からクラッチ操作部材の作動方向に延出せしめた補強部材を用いて連結したことによって、前記クラッチを操作する際、作動部材の支軸に繰り返し作用する反力の方向に対して補強部材が有効に作用するので、前記支軸の耐久性が向上すると共にクラッチ操作装置全体を簡潔に構成することができ、しかもメンテナンス作業時に補強部材が邪魔にならないのでメンテナンス性も向上する。
そして、請求項２の発明によれば、前記補強部材を取り付けベースと平行に少なくとも三点支持状態で連結したことによって、前記クラッチを操作する際、作動部材の支軸に繰り返し作用する反力を簡潔且つバランスのよい構成で分散させることができる。
【発明を実施するための最良の形態】
【０００６】
次に、本発明の実施形態を図面に基づいて説明する。図１は、本発明のクラッチ操作装置を採用したコンバイン１の側面図であって、コンバイン１は、左右一対のクローラ走行装置２で機体フレーム３を支持すると共に、機体フレーム３の前方には穀稈を刈取りながら脱穀部４まで搬送する前処理部５を備えている。
【０００７】
そして、前処理部５の後方には、オペレータが着座する座席６や走行操作具であるマルチステアリングレバー７、及び主変速レバー８等の各種操作具を備える操縦部９を配設すると共に、座席６後部の一側には穀粒タンク１１、他側には脱穀部４を設けている。また、脱穀部４において脱穀と選別処理がなされた穀粒を穀粒タンク１１内に一時的に貯留できるようになっている。
【０００８】
そして、座席６の下方には、図示しないエンジンルームを設けてあり、このエンジンルーム内には、図２に示すように、エンジン１２を搭載している。エンジン１２の出力軸には、作業機用の動力を作業機伝動ケース１３に出力する出力プーリ１４と、走行用の動力を走行用ＨＳＴ１５に出力する出力プーリ１６とを取付けてある。
【０００９】
また、作業機伝動ケース１３の入力軸１７に設けた入力プーリ１８と作業機出力プーリ１４との間には、ベルトテンション式の脱穀クラッチ１９を設けている。同じく、走行用ＨＳＴ１５の入力軸２１に設けた入力プーリ２２と走行出力プーリ１６との間には、ベルトテンション式の走行クラッチ２３を設けている。
【００１０】
即ち、エンジン１２の動力は、脱穀クラッチ１９を介して作業機伝動ケース１３に、走行クラッチ２３を介して走行用ＨＳＴ１５に、各々入り切り自在に伝達される。また、上述した入力プーリ１８と反対側の入力軸１７の軸端は、作業機伝動ケース１３から突出しており、当該入力軸１７から出力される動力は、プーリ２６，２７とベルト２８を介して脱穀部４の唐箕ファン２９を駆動する唐箕軸３１に伝達される。尚、脱穀部４は、唐箕軸３１に伝達された動力によって各部が駆動するようになっている。
【００１１】
上述したように、作業機伝動ケース１３に入力された動力は、入力軸１７からそのまま出力されるほか、作業機伝動ケース１３に一体的に設けた作業機用ＨＳＴ３２に入力される。作業機用ＨＳＴ３２に入力された動力は、該作業機用ＨＳＴ３２によって任意に変速されると共に、作業機伝動ケース１３内でも変速がなされてフィードチェン駆動軸３３と前処理駆動軸３４に出力される。
【００１２】
そして、フィードチェン駆動軸３３に出力された動力は、中継軸３６を介してフィードチェン３７の駆動スプロケット３８に伝達されるようになっており、これによってフィードチェン３７が回転駆動し、前処理部５側から受け継いだ穀稈を脱穀部４に供給することができる。
【００１３】
また、前処理駆動軸３４には、前処理出力プーリ３９を取付けてあり、この前処理出力プーリ３９と前処理部５へ動力を入力する入力プーリ４１との間には、ベルトテンション式の前処理クラッチ４２を設けている。即ち、前処理駆動軸３４から前処理クラッチ４２を介して前処理部５に動力が入り切り自在に伝達されるようになっている。
【００１４】
即ち、上述した作業機伝動ケース１３は、エンジン１２から出力される動力を、作業機である脱穀部４（フィードチェン３７を含む）と前処理部５とに分配して出力できる構成となっている。
【００１５】
更に詳しくは、脱穀部４前方の機体フレーム３上には、座席６の左側方に位置するスペースＳが形成されており、このスペースＳにおける脱穀部４の直前位置に作業機伝動ケース１３を配置している。そして、エンジン１２の出力軸に取り付けた出力プーリ１４は、座席６の左側方（前記スペースＳ側）に臨ませて配設してある。また、作業機伝動ケース１３の入力軸１７は、作業機伝動ケース１３の右側面から突出し、その入力プーリ１８は作業機伝動ケース１３の右側（エンジン１２側）に設けている。
【００１６】
そして、上述したエンジン１２の出力プーリ１４と作業機の入力プーリ１８との間には、ベルト４５を巻き掛けると共にベルトテンション式の脱穀クラッチ１９を設けている。また、脱穀出力軸を兼ねる作業機伝動ケース１３の入力軸１７は、作業機伝動ケース１３の左側面から突出しており、この入力軸（脱穀出力軸）１７から唐箕軸３１への動力の伝達は脱穀部４の左側面側で行われる。
【００１７】
そして、フィードチェン駆動軸３３も作業機伝動ケース１３の左側面から突出しており、前記スペースＳを横断する中継軸３６の先端にフィードチェン３７の駆動スプロケット３８を取り付けている。また、前処理駆動軸３４は、作業機伝動ケース１３の右側面から突出すると共に、作業機伝動ケース１３の入力軸１７の上方に配置してある。
【００１８】
そして、前記スペースＳにおける作業機伝動ケース１３の前方には、前処理部５を支持する支持フレーム４６を設けると共に、この支持フレーム４６の上部に設けた回動支点Ｘを中心として前処理部５を昇降自在に支持する縦パイプフレーム４７を備えている。尚、縦パイプフレーム４７内には、前処理部５に駆動力を伝達する図示しない縦伝動軸を内装してある。
【００１９】
また、前処理出力プーリ３９と前処理部５へ動力を入力する入力プーリ４１は、ともに作業機伝動ケース１３の右側面側に配置してあり、両プーリ３９，４１の間にベルト４８を巻き掛けると共にベルトテンション式の前処理クラッチ４２を設けている。
【００２０】
そして、脱穀クラッチ１９と前処理クラッチ４２は、図３及び図４に示すように、作業機伝動ケース１３の右側面側、即ち座席６側に上下に配設してあり、脱穀クラッチ１９を入り状態とすることによって、作業機伝動ケース１３に動力が入力され、脱穀部４とフィードチェン３７が駆動する。
【００２１】
また、前処理部５は、脱穀クラッチ１９を入り状態とし、且つ前処理クラッチ４２を入り状態とすることによって駆動する。このように脱穀クラッチ１９を入り状態としなければ、作業機伝動ケース１３にエンジン１２からの動力を入力することができないので、脱穀クラッチ１９が切り状態のまま前処理クラッチ４２を入り状態としても前処理部５を駆動させることはできない。
【００２２】
そして、前処理クラッチ４２のテンションプーリ４９は、前処理駆動軸３４を揺動支点として揺動自在に支持した前処理クラッチテンションアーム５１の先端に設けてあり、当該テンションプーリ４９は、前処理出力プーリ３９と前処理部５へ動力を入力する入力プーリ４１との間に巻き掛けたベルト４８の上方から摺接する構成になっている。
【００２３】
一方、脱穀クラッチ１９のテンションプーリ５２は、作業機伝動ケース１３の入力軸１７を揺動支点として揺動自在に支持した脱穀クラッチテンションアーム５３の先端に設けてあり、当該テンションプーリ５２は、エンジン１２の出力プーリ１４と作業機の入力プーリ１８との間に巻き掛けたベルト４５に下方から摺接する構成になっている。
【００２４】
そして、前処理クラッチ４２は、前処理クラッチテンションアーム５１の揺動支点である前処理駆動軸３４を挟んで反対側に設けた連動アーム５１ａを上方に引き上げ、テンションプーリ４９を所定の力でベルト４８に押圧することによって、当該ベルト４８を張って駆動力を伝達するクラッチ入り状態となる。また、連動アーム５１ａの引き上げを解除すると、前処理クラッチテンションプーリ４９がベルト４８の付勢力によって退避し、該ベルト４８が弛められて前処理クラッチ４２は駆動力を伝達しないクラッチ切り状態となる。
【００２５】
一方、脱穀クラッチ１９は、作業機伝動ケース１３の入力軸１７を揺動支点とする脱穀クラッチテンションアーム５３を上方に引き上げ、脱穀クラッチテンションプーリ５２を所定の力でベルト４５に押圧することによって、当該ベルト４５を張って駆動力を伝達するクラッチ入り状態となる。また、脱穀クラッチテンションアーム５３の引き上げを解除すると、脱穀クラッチテンションプーリ５２がベルト４５の付勢力によって退避し、該ベルト４５が弛められて脱穀クラッチ１９は駆動力を伝達しないクラッチ切り状態となる。
【００２６】
上述した脱穀クラッチ１９と前処理クラッチ４２の入り切りは、クラッチ操作装置６１によってなされる。クラッチ操作装置６１は、作業機伝動ケース１３の右側面に螺設した平面視でコの字状をなすプレートを取り付けベース６２としている。この取り付けベース６２の左側面には、図５及び図６に示すように、アクチュエータであるモータ６３を取り付けてある。また、取り付けベース６２の右側面には、モータ６３によって回転駆動するセクタギヤ６４と、該セクタギヤ６４と一体に回動する作動部材であるカム６５を設けている。
【００２７】
更に、セクタギヤ６４の回動軸６６を揺動支点とするクラッチ操作体である前処理クラッチ駆動アーム６７を揺動自在に軸支してあり、この前処理クラッチ駆動アーム６７には、クラッチ操作部材である前処理クラッチ牽引ロッド６８の基端部を連結すると共に、この前処理クラッチ牽引ロッド６８の先端部を、引張スプリング６９と前処理クラッチ連結
プレート５０を介して前処理クラッチテンションアーム５１の連動アーム５１ａに連結している。
【００２８】
また、取り付けベース６２には、セクタギヤ６４と一体に回動するカム６５の回動軸（セクタギヤ６４の回動軸６６）より上方位置に支軸７１が設けてあり、この支軸７１には、クラッチ操作体である脱穀クラッチ駆動アーム７２の基端部を回動自在に軸支している。そして、脱穀クラッチ駆動アーム７２には、クラッチ操作部材である脱穀クラッチ牽引ロッド７３の基端部を連結すると共に、この脱穀クラッチ牽引ロッド７３の先端部を、引張スプリング７４と脱穀クラッチ連結プレート７５を介して脱穀クラッチテンションアーム５３に連結してある。
【００２９】
上述した構成により、モータ６３の図示しない出力軸に固設した出力ギヤの回転駆動に伴ってセクタギヤ６４を介してカム６５が回動すると、このカム６５の周面に形成したカム面によって脱穀クラッチ駆動アーム７２が上下揺動操作されると共に、当該カム６５に設けたピン７６を介して前処理クラッチ駆動アーム６７も上下揺動操作されるようになっている。
【００３０】
つまり、モータ６３の出力軸の所定方向への回転駆動に伴って、最初に脱穀クラッチ１９が入り状態となるように、脱穀クラッチ駆動アーム７２が脱穀クラッチ牽引ロッド７３を上昇操作し、次に前処理クラッチ４２が入り状態となるように、前処理クラッチ駆動アーム６７が前処理クラッチ牽引ロッド６８を上昇操作する。
【００３１】
また、モータ６３の出力軸の前記所定方向とは反対側への回転に伴って、最初に前処理クラッチ４２が切り状態となるように、前処理クラッチ駆動アーム６７が前処理クラッチ牽引ロッド６８を下降操作し、次に脱穀クラッチ１９が切り状態となるように、脱穀クラッチ駆動アーム７２が脱穀クラッチ牽引ロッド７２を下降操作する。
【００３２】
そして、脱穀クラッチ駆動アーム７２と脱穀クラッチ牽引ロッド７３との連結点と、前処理クラッチ駆動アーム６７と前処理クラッチ牽引ロッド６８との連結点は、カム６５の回動軸（セクタギヤ６４の回動軸６６）を挟んで前後に振り分けた状態で配置してある。また、前処理クラッチ連結プレート５０と脱穀クラッチ連結プレート７５は、前処理駆動軸３４を挟んで前後に振り分けて配置してある。
【００３３】
上述したモータ６３の出力軸の回転角度は、操縦部９に備える図７に示すような脱穀・刈取クラッチレバー８１の揺動操作角度によって設定できるようになっている。この脱穀・刈取クラッチレバー８１は、レバーブラケット８２に第１支軸８３を介して前後傾動自在に支持されるレバー基部８４と、該レバー基部８４の上端部に第２支軸８５を介して左右傾動自在に支持したレバー先端部８６とからなり、該レバー先端部８６を側方に付勢すべくレバー基部８４とレバー先端部８６との間に引張スプリング８７を介装している。
【００３４】
脱穀・刈取クラッチレバー８１のレバー先端部８６は、操縦部９のサイド操作パネル８８に設けたガイド溝８９に挿通しており、このガイド溝８９に沿って脱穀・刈取クラッチレバー８１を前後及び左右に揺動操作することができる。尚、レバー先端部８６前後に揺動させると、レバー基部８４はレバー先端部８６と一体に前後に揺動するが、レバー先端部８６を左右に揺動させる時は、レバー基部８４は揺動しない構成になっている。
【００３５】
そして、脱穀・刈取クラッチレバー８１のレバー基部８４には、該レバー基部８４に連動するカムプレート９１を一体的に設けてあり、このカムプレート９１の前後対向位置に配設した２個のレバー位置検出スイッチ９２，９３が、当該カムプレート９１と当接または離間して入り切りされることによって、脱穀・刈取クラッチレバー８１の操作位置を検出することができるように構成している。
【００３６】
上述した脱穀・刈取クラッチレバー８１の操作位置は、図８に示すように、脱穀クラッチ１９及び前処理クラッチ４２を共に切り状態とする第１操作位置Ａと、脱穀クラッチ１９のみを入り状態とする第２操作位置（中間位置）Ｂと、脱穀クラッチ１９及び前処理クラッチ４２を共に入り状態とする第３操作位置Ｃを設定している。即ち、脱穀・刈取クラッチレバー８１を前後に揺動操作することによって、各操作位置Ａ，Ｂ，Ｃに切り換えることができる。但し第２操作位置Ｂから第３操作位置Ｃに切り換える際には、脱穀・刈取クラッチレバー８１のレバー先端部８６を左右に揺動させる必要がある。
【００３７】
以上説明したクラッチ操作装置６１と脱穀・刈取クラッチレバー８１により、脱穀クラッチ１９と前処理クラッチ４２を入り切り操作することが可能になり、脱穀クラッチ１９及び前処理クラッチ４２は、脱穀クラッチ１９と前処理クラッチ４２とが共に切り状態から、前処理クラッチ４２が切り状態のまま脱穀クラッチ１９を入り状態とし、しかる後に脱穀クラッチ１９と前処理クラッチ４２とが共に入り状態となるように切り換えることができ、或いは、脱穀クラッチ１９と前処理クラッチ４２とが共に入り状態から、脱穀クラッチ１９が入り状態のまま前処理クラッチ４２を切り状態とし、その後に脱穀クラッチ１９と前処理クラッチ４２とが共に切り状態となるように切り換えることができる。
【００３８】
そして、クラッチ操作装置６１を座席６の左側方に近接させて配置すべく、作業機伝動ケース１３に対する取り付けベース６２の取り付け位置は、前処理部５を昇降自在に支持する縦パイプフレーム４７の回動支点Ｘよりも上方に設けてある。したがって、クラッチ操作装置６１は、前処理部５の構成部品を取り外したり、穀粒タンク１１を回動させることなく容易にメンテナンスすることができる。
【００３９】
また、脱穀クラッチ牽引ロッド７３及び前処理クラッチ牽引ロッド６８は、脱穀クラッチ駆動アーム７２と前処理クラッチ駆動アーム６７とに設けたパイプ７２ａ，６７ａに挿入してあり、これら脱穀クラッチ牽引ロッド７３と前処理クラッチ牽引ロッド６８のパイプ７２ａ，６７ａからの突出する部分にナット（ロックナット）７３ａ、６８ａを螺合すると共に、このナット７３ａ、６８ａとパイプ７２ａ，６７ａとの当接により、脱穀クラッチ駆動アーム７２と前処理クラッチ駆動アーム６７を揺動せしめて、脱穀クラッチ牽引ロッド７３と前処理クラッチ牽引ロッド６８とを操作できるように構成している。
【００４０】
そして、脱穀クラッチ牽引ロッド７３と脱穀クラッチ１９の間に介装する引張スプリング７４と、前処理クラッチ牽引ロッド６８と前処理クラッチ４２の間に介装する引張スプリング６９の張力調整は、脱穀クラッチ牽引ロッド７３と前処理クラッチ牽引ロッド６８に螺合したナット７３ａ、６８ａのロック位置の調節によってなされる。即ち、クラッチ操作装置６１の構成部品の殆どを取り付ける取り付けベース６２は、作業機伝動ケース１３の右側方の上方位置に設けてあり、操縦部９の座席６側から容易にメンテナンス作業を行うことができる。
【００４１】
また、セクタギヤ６４と一体に回動する作動部材であるカム６５と、クラッチ操作体である前処理クラッチ駆動アーム６７とを揺動自在に軸支する回動軸６６の基部は、取り付けベース６２に固設してあるが、更に回動軸６６の先端部と取り付けベース６２とを、当該支軸６６の先端部から２つのクラッチ操作部材、即ち脱穀クラッチ牽引ロッド７３と前処理クラッチ牽引ロッド６８の作動方向に延出せしめた補強部材９６を用いて連結してある。
【００４２】
更に詳しくは、補強部材９６は、逆Ｖ字状のプレートからなり、その頂部（基部）９６ａを回動軸６６の先端部に固設する一方、開口する底部（先端部）９６ｂ，９６ｃを２つのクラッチ操作部材７３，６８の作動方向に延出せしめ、両底部９６ｂ，９６ｃをカラー９７を介して取り付けベース６２に螺設することによって、当該補強部材９６を取り付けベース６２と平行に少なくとも三点支持状態で連結してある。
【００４３】
上述した構成によれば、モータ６３の回転駆動により脱穀クラッチ駆動アーム７２と前処理クラッチ駆動アーム６７を揺動せしめて、脱穀クラッチ牽引ロッド７３と前処理クラッチ牽引ロッド６８とを操作し、以って脱穀クラッチ１９と前処理クラッチ４２とを入り切り操作する際、作動部材であるカム６５の支軸、即ち回動軸６６に繰り返し作用する反力の方向に対して補強部材９６が有効に作用するので、当該回動軸６６の耐久性が向上すると共にクラッチ操作装置６１全体を簡潔に構成することができ、しかもメンテナンス作業時に補強部材９６が邪魔にならないのでメンテナンス性も向上する。
【００４４】
また、補強部材９６を取り付けベース６２と平行に少なくとも三点支持状態で連結したことによって、脱穀クラッチ１９と前処理クラッチ４２を操作する際、カム６５の支軸６６に繰り返し作用する反力を簡潔且つバランスのよい構成で分散させることができる。尚、クラッチ操作装置６１の内面側は、図４に二点鎖線で示す如く着脱容易なカバー９８により覆われている。また、モータ６３は脱穀部４側に設けた図示しない脱穀カバーによって覆われており、この脱穀カバーは、脱穀部４の図示しない扱胴を駆動する伝動ベルトや伝動ケース等覆うと共に、モータ６３及びクラッチ操作装置６１をエンジン１２の排風や屑等から保護している。
【図面の簡単な説明】
【００４５】
【図１】コンバインの側面図。
【図２】コンバインの伝動図。
【図３】伝動ケースの右側面図。
【図４】伝動ケースの正面図。
【図５】クラッチ操作装置の要部右側面図。
【図６】クラッチ操作装置の要部正面図。
【図７】脱穀・刈取クラッチレバーの構成を示す要部斜視図。
【図８】ガイド溝部分の平面図。
【符号の説明】
【００４６】
１９  クラッチ（脱穀）
４２  クラッチ（前処理）
６１  クラッチ操作装置
６２  取り付けベース
６３  アクチュエータ
６５  作動部材
６６  支軸
６７  クラッチ操作体（前処理クラッチ駆動アーム）
６８  クラッチ操作部材（前処理クラッチ牽引ロッド）
７２  クラッチ操作体（脱穀クラッチ駆動アーム）
７３  クラッチ操作部材（脱穀クラッチ牽引ロッド）
９６  補強部材
【図１】
2008301763.tif 000003
【図２】
2008301763.tif 000004
【図３】
2008301763.tif 000005
【図４】
2008301763.tif 000006
【図５】
2008301763.tif 000007
【図６】
2008301763.tif 000008
【図７】
2008301763.tif 000009
【図８】
2008301763.tif 000010